(57)【要約】【課題】  画面表示において画面を分割するフレーム部分の焼付を防ぎつつ、複数の情報の表示を可能にすること。【解決手段】  画面を一または二以上のフレームに構成する背景図情報を記憶する手段と、背景図のフレーム内に表示されるべきコンテンツ情報を記憶する手段と、複数の背景図情報のうち、一の背景図情報を選択すると共にコンテンツ情報を用いて画面構成図情報を生成するページ生成手段と、該画面構成図情報を表示装置へ出力する手段とを備える。【選択図】      図１
2005181907.tif 000002
【特許請求の範囲】
【請求項１】
表示画面のフレームを構成する複数の背景図情報を記憶する手段と、
前記背景図のフレーム内に表示されるべきコンテンツ情報を記憶する手段と、
前記複数の背景図情報のうち、一の背景図情報を選択すると共に前記コンテンツ情報を用いて画面構成図情報を生成するページ生成手段と、
該画面構成図情報を表示装置へ出力する手段と、
を備えたことを特徴とする情報提供システム。
【請求項２】
前記ページ生成手段を所定の周期で起動するページ更新手段を備えたことを特徴とする請求項１記載の情報提供システム。
【請求項３】
前記複数の背景図情報は、画面の分割構成が同一で、所定の範囲の表示、非表示の組み合わせが異なる二以上の背景図情報であることを特徴とする請求項２記載の情報提供システム。
【請求項４】
コンテンツ情報の一部または全部が更新されるときに、背景図情報も切り替わることを特徴とする請求項３記載の情報提供システム。
【請求項５】
端末と通信ネットワークを介して繋がるサーバによって、前記端末へ表示情報を送信する情報提供方法であって、
表示画面のフレームを構成する複数の背景図情報を記憶するステップと、
端末から送られてくる前記背景図のフレーム内に表示されるべきコンテンツ情報の取得先アドレスを保存するステップと、
前記取得先アドレスに基づいてコンテンツ情報を収集するステップと、
背景図情報および収集したコンテンツ情報を用いて画面構成図情報を生成するステップと、
該画面構成図情報を端末へ送信するステップと、
を含むことを特徴とする情報提供方法。
【請求項６】
前記背景図またはコンテンツ情報は、更新周期に基づいて切り替わることを特徴とする請求項５記載の情報提供方法。
【請求項７】
前記背景図の更新周期と前記コンテンツ情報の更新周期は、それぞれ個別に設定され、さらに、コンテンツ情報が切り替わるときは、背景図も同時に切り替わると共に背景図の更新タイマはリセットされることを特徴とする請求項６記載の情報提供方法。
【請求項８】
端末上で動作する情報表示のためのプログラムであって、
表示画面のフレームを構成する複数の背景図情報の取得先アドレスを記憶する処理と、
前記背景図のフレーム内に表示されるべきコンテンツ情報の取得先アドレスを記憶する処理と、
前記複数の背景図情報のうち一の背景図情報の取得先アドレスを選択する処理と、
該選択した背景図情報の取得先アドレスとコンテンツ情報の取得先アドレスをもとに背景図情報およびコンテンツ情報を取得する処理と、
取得した各情報を用いて画面構成図情報を生成する処理と、
該画面構成図情報に基づいて表示出力する処理と、
を備えたことを特徴とするコンピュータ実行可能なプログラム。
【請求項９】
ページ更新タイミングを記憶する処理と、
該更新タイミングによって、新たな背景図取得先アドレスを設定する処理と、
を含むことを特徴とする請求項８記載のプログラム。
【発明の詳細な説明】
【技術分野】
【０００１】
本発明は、ディスプレイ画面を複数のウィンドウに分割し、各ウィンドウに同時に複数の情報を表示する技術に係り、特にディスプレイの焼付きを防止しつつ表示を行う情報提供システムおよび情報提供方法に関する。
【背景技術】
【０００２】
一般に、プラズマディスプレイ等の大型ディスプレイモニタに情報を表示する場合、画面を複数のウィンドウに分割して、各ウィンドウに異なる情報を表示することが行われている。このとき、ディスプレイの焼付きを防止するため、一定時間ごとに表示内容を切り替えるという技術が一般に採用されている。（例えば、特許文献１を参照）。
【０００３】
また、スクリーンセーバが起動して、複数のディスプレイに順に時間差を持たせてスクリーンセーバ用の情報を表示することによって、全体として繋がりのある情報を表示するという技術や、動画か静止画かを判定して、静止画の場合は、タイマを起動して一定時間経過によって、スクリーンセーバ画面に切り替えるという技術が提案されている。（特許文献２、３参照）。
【特許文献１】特開２００３−２２３１６０号公報
【特許文献２】特開特開２００１−３３７６６３号公報
【特許文献３】特開平９−５０２５８号公報
【発明の開示】
【発明が解決しようとする課題】
【０００４】
しかしながら、ディスプレイ画面を複数のウィンドウに分割して、それぞれのウィンドウに情報を表示する場合、たとえ表示される情報が動画であっても、そのフレーム（ウィンドウの境界枠）の部分は変化しないため、フレーム部分の焼付きが生じる。また、一定時間経過によって、スクリーンセーバ画面にするのは、情報の表示が中断され、表示効果が低くなる。
【０００５】
本発明は、かかる事情に鑑みてなされたものであり、フレーム部分の焼付きを防ぎつつ、複数の情報を表示することのできる情報提供システム、情報提供方法、および、プログラムを提供することを目的とする。
【課題を解決するための手段】
【０００６】
上記の目的を達成するため、本発明に係わる情報提供システムは、表示画面のフレームを構成する複数の背景図情報を記憶する手段と、前記背景図のフレーム内に表示されるべきコンテンツ情報を記憶する手段と、前記複数の背景図情報のうち、一の背景図情報を選択すると共に前記コンテンツ情報を用いて画面構成図情報を生成するページ生成手段と、該画面構成図情報を表示装置へ出力する手段とを備えたことを特徴とする。
【０００７】
好ましくは、前記ページ生成手段を所定の周期で起動するページ更新手段を備えるようにするとよい。
より好ましくは、前記複数の背景図情報は、画面の分割構成が同一で、所定の範囲の表示、非表示の組み合わせが異なる二以上の背景図情報であり、コンテンツ情報の一部または全部が更新されるときに、背景図情報も切り替わるようにするとよい。
【０００８】
背景図情報は、周期的、または、コンテンツ情報の切り替わりと共に更新されるため、ディスプレイ上に複数のコンテンツ情報をフレーム分割して表示する場合でも、フレーム部分の焼付を防止することができる。
【０００９】
ここで、背景図情報とは、端末にフレーム（ウィンドウ枠）を表示させるための情報で、表示画像情報そのもののみならず、特定の画面表示用プログラムを用いて背景図を表示させる場合は、その表示のために必要なデータも含んだ概念である。コンテンツ情報あるいは画面構成図情報も同様の趣旨である。
【００１０】
また、本発明に係わる情報提供方法は、端末と通信ネットワークを介して繋がるサーバによって、前記端末へ表示情報を送信する情報提供方法であって、表示画面のフレームを構成する複数の背景図情報を記憶するステップと、端末から送られてくる前記背景図のフレーム内に表示されるべきコンテンツ情報の取得先アドレスを保存するステップと、前記取得先アドレスに基づいてコンテンツ情報を収集するステップと、背景図情報および収集したコンテンツ情報を用いて画面構成図情報を生成するステップと、該画面構成図情報を端末へ送信するステップとを含むことを特徴とする。
【００１１】
好ましくは、前記背景図またはコンテンツ情報は、更新周期に基づいて切り替わるようにし、背景図の更新周期とコンテンツ情報の更新周期は、それぞれ個別に設定され、さらに、コンテンツ情報が切り替わるときは、背景図も同時に切り替わると共に背景図の更新タイマはリセットされるようにするとよい。
【００１２】
これにより、コンテンツ情報の更新に併せて背景図も切り替えられるため、背景図の切り替えが目立たなくなる。さらに、背景図の更新タイマは、周期的またはコンテンツ情報の更新に合わせてリセットされるようにしたので、コンテンツ情報の更新がない場合でも一定時間間隔で切り替わり、画面の焼付を防止することができる。
【００１３】
本発明に係わるプログラムは、端末上で動作する情報表示のためのプログラムであって、表示画面のフレームを構成する複数の背景図情報の取得先アドレスを記憶する処理と、前記背景図のフレーム内に表示されるべきコンテンツ情報の取得先アドレスを記憶する処理と、  前記複数の背景図情報のうち一の背景図情報の取得先アドレスを選択する処理と、該選択した背景図情報の取得先アドレスとコンテンツ情報の取得先アドレスをもとに背景図情報およびコンテンツ情報を取得する処理と、取得した各情報を用いて画面構成図情報を生成する処理と、該画面構成図情報に基づいて表示出力する処理と、
を備えたことを特徴とする。
【００１４】
好ましくは、ページ更新タイミングを記憶する処理と、該更新タイミングによって、新たな背景図取得先アドレスを設定する処理とを含むようにするとよい。
【発明の効果】
【００１５】
本発明によれば、フレームを構成する背景図をコンテンツ情報の更新のタイミングで切り替えるのでフレーム部分の焼付を防ぎつつ、複数の情報を表示することができる。
【発明を実施するための最良の形態】
【００１６】
以下、本発明の実施の形態を説明する。図１は本発明の第１の実施の形態に係わる情報提供システムおよびこのシステムと通信を行う顧客端末２および情報サーバ３の機能ブロック図である。図１において、情報提供システム１は、通信ネットワーク４を介して顧客端末２、情報サーバ３と繋がっている。ここで情報提供システム１は一般にＷＥＢ情報を提供するサービス事業者により管理、運営されているもので、ＨＴＴＰサーバあるいはＦＴＰサーバとして構築される。また、顧客端末２はサービス事業者の提供するサービスを希望する顧客の一または二以上の顧客端末である。情報サーバ３は通信ネットワーク４により顧客へ情報を配信する一または二以上の事業者である。
【００１７】
情報提供システム１は、通信ネットワーク４を介してデータの送受信を行うための送受信部１１、送受信部から受け取ったデータの処理を行う中央演算処理部１２、データを記憶するための記憶部１３、および、中央演算処理部１２との間でデータの入出力を行う入力部１４と表示部１５から構成されている。さらに、中央演算処理部１２は、送受信部１１との間でデータの受け渡しを行う送受信処理手段（機能）１２１、入力部１４あるいは表示部１５とデータの受け渡しを行う入出力処理手段（機能）１２２、入力部１４を介して入力された画面の更新周期やフレーム構成に関する設定情報を記憶部１３の設定情報データベース（ＤＢ）１３１へ登録する設定情報登録手段（機能）１２３、顧客端末２から送られてくる設定情報の送信要求を受信する設定情報要求・入力手段（機能）１２４、この送信要求に基づいて設定情報ＤＢ１３１に登録されている設定情報を送信する設定情報送信手段（機能）１２５、背景図データベース（ＤＢ）１３２に登録されている画面を複数のウィンドウに分割するためのフレーム図（背景図）を送信する画面構成図送信手段（機能）１２６から構成されている。
【００１８】
また、情報サーバ３は、通信ネットワーク４を介してデータの送受信を行うための送受信部３１、送受信部３１からのデータの処理を行う中央演算処理部３２、データの保存を行う記憶部３３から構成されている。さらに、中央演算処理部３２は、送受信部３１との間でデータの受け渡しを行う送受信処理手段（機能）３２１、コンテンツ情報を送信する情報送信手段（機能）３２３、コンテンツ情報の要求を受信する情報受信手段（機能）３２４、から構成される。また、記憶部３３はコンテンツに関する情報を保存する情報データベース（ＤＢ）３３１を有している。
【００１９】
顧客端末２は、通信ネットワーク４を介してデータの送受信を行うための送受信部２１、送受信部２１からのデータの処理を行う中央演算処理部２２、中央演算処理部２２との間でデータの入出力を行う入力部２４と表示部２５、データを記憶するための記憶部２３から構成されている。さらに、中央演算処理部２２は、送受信部２１との間でデータの受け渡しを行う送受信処理手段（機能）２２１、入力部２４あるいは表示部２５とデータの受け渡しを行う入出力処理手段（機能）２２２、ページ更新を行うページ更新手段（機能）２２３、ページ生成を行うページ生成手段（機能）２２４、情報提供システム１に保存されている設定情報および情報サーバ３に保存されているコンテンツ情報を取得する情報取得手段（機能）２２５から構成されている。また、記憶部２３は、情報取得手段２２５で取得した背景図やコンテンツ情報などをもとに作成された、表示部２５へ表示させるための情報（画面構成図情報）を保存する画面構成図データベース（ＤＢ）２３１を有している。
【００２０】
以下、情報提供システム１、顧客端末２、および、情報サーバ３の動作を説明する。
［１．設定段階］
<１−１．情報提供システムでの設定情報登録処理>
まず、サービス事業者は情報提供システム１を実行する上で必要な画面リフレシュ時間などの各種設定情報を入力部１４から入力する。入力された設定情報は入出力処理手段１２２、設定情報登録手段１２３によって設定情報ＤＢ１３１へ登録される。
図７は設定情報ＤＢ１３１に保存されている背景テーブル１３３のデータ構成例である。背景テーブル１３３には背景番号ごとに背景図番号が記憶されている。たとえば、背景番号０には背景図２、背景番号１には背景図３というフレーム（背景）を識別するための番号（情報）が保存されている。
【００２１】
図８は設定情報ＤＢ１３１に保存されているサーバテーブル１３３のデータ構成例である。図８において、サーバテーブル１３４はコンテンツが保存されている情報サーバごとに識別番号が付され、これに関連付けられたサーバのＵＲＬ（Uniform Resource Locator）が記憶されている。
たとえば、情報サーバ１のＵＲＬはhttp://情報サーバ1.jp/info1.html、情報サーバ２のＵＲＬはhttp://情報サーバ2.jp/info2.htmlという情報が保存されている。
また、設定情報ＤＢ１３１は、背景図を更新する時間を保存したリフレッシュテーブル１３５やフレーム分割を決めるための情報を保存したフレーム構成テーブル１３６を有しており、入力部１４を介してこれらの情報が設定される。図９は、リフレッシュテーブル１３５の一例である。背景番号とリフレッシュ時間（更新時間）が関連付けられて保存されている。また、図１０は、フレーム構成テーブル１３６の一例である。背景番号ごとにフレーム分割情報が保存されている。
【００２２】
設定情報ＤＢ１３１には、上記図７から図１０に示した各情報が保存されている。なお、これらの情報を用いて、図１２および図１３に示すように端末上で動作するプログラムの形式で保存するようにしてもよい。図１２と図１３に示すプログラムは、それぞれ６０秒ごとに背景図が図２と図３で切り替わり、また、情報サーバのコンテンツの表意位置が切り替わる動作を実行するＨＴＭＬ形式のプログラムの一例である。なお、図１２と図１３のプログラム例では、コンテンツ情報の表意位置を変更しているが、これは同一にしておき、背景図番号のみ変更するようにしてもよい。たとえば、点灯、消灯状態が互いに異なるフレームの背景図番号などである。
【００２３】
<１−２．情報サーバでのコンテンツ情報登録処理>
事業者（たとえば、広告主）は情報サーバ３の記憶部３３にある情報ＤＢ３３１に広告などのコンテンツ情報を登録しておく。このコンテンツ情報は、情報送信手段３２３を通して通信ネットワーク４上に配信可能に保存されている。
【００２４】
［２．顧客端末でのページ生成段階］
<２−１．情報取得処理>
一方、顧客端末２では顧客により入力部２４からページの取得または更新要求の入力が行われる。
初回起動時は情報取得手段２２５、および、送受信処理手段２２１を介して、設定情報の送信要求が情報提供システム１へ送信される。
【００２５】
顧客端末２より送信された設定情報の送信要求は情報提供システム１の送受信部１１で受信され、送受信処理手段１２１、設定情報要求・入力手段１２４により受信処理される。これによって、記憶部１３の設定情報ＤＢ１３１に保存されている設定情報が設定情報送信手段１２５、送受信処理手段１２１によって通信ネットワーク４を介し顧客端末２へ送信される。
【００２６】
情報提供システム１から送信された設定情報は、顧客端末２の送受信部２１、送受信処理手段２２１で受信処理され、情報取得手段２２５により記憶部２３へ保存される。なお、設定情報としては、図７から図１０に示すような設定データとして送信するようにしてもよいし、図１２、図１３に示すような端末で動作可能な形式で送信するようにしてもよい。ただし、設定データとして送信する場合は、顧客端末上で、この設定データをもとに画面情報を作成するプログラムを保存しておく必要がある。  
【００２７】
なお端末で動作可能なプログラムとして送信する場合、このプログラムにページを更新手段２２３、ページ生成手段２２４、および、生成されたページを表示するためのページ表示手段２２６を持たせる必要があるが、他の手段（機能）を加えたり、逆に端末２が既に有している手段（機能）を利用することによって、このプログラムの手段を削減してもよい。以下、本実施の形態では、情報提供システム１から設定データの形式で送信されることを前提に説明する。
【００２８】
<２−２．ページ取得・更新処理>
顧客端末２の入力部２４からのページ更新要求入力または情報提供システムから送られてきた設定情報に含まれている更新時間で動作するリフレシュタイマによりページ更新手段２２３が起動される。ページ更新手段２２３は入力部からのページ更新要求か、リフレシュタイマによるページ更新かをページ生成手段２２４へ通知する。
【００２９】
まず、入力部２４からのページ更新要求によるページ更新処理について説明する。ページ更新手段２２３の起動が入力部２４からのホームページ更新要求による場合、ページ生成手段２２４はコンテンツ情報の取得を情報取得手段２２５へ要求する。
情報取得手段２２５は送受信処理手段２２１、送受信部２１によりコンテンツ情報の送信要求を情報サーバ３に送信する。
顧客端末２により送信された情報要求は通信ネットワーク４を介して情報サーバ３の送受信部３１で受信され、中央演算処理部３２の送受信処理手段３２１により受信処理が行われる。
【００３０】
これにより、記憶部３３の情報ＤＢ３３１に保存されているコンテンツ情報は中央演算処理部３２の情報送信手段３２３により送受信処理手段３２１をへて送受信部３１へ渡される。送受信部３１から送出されたコンテンツ情報は通信ネットワーク４を介して、顧客端末２の送受信部２１で受信される。受信されたコンテンツ情報は送受信処理手段２２１および情報取得手段２２５によって記憶部２４に保存される。
情報取得手段２２５はコンテンツ情報を記憶部２４へ保存後、ページ生成手段２２４へコンテンツ情報受信の信号を送る。
【００３１】
一方、リフレシュタイマによるページ更新処理について図１４を用いて説明すると、まず、リフレシュリフレシュタイマによりページ更新手段２２３が起動された場合、背景番号に０を設定する（Ｓ１０１）。
そして、背景番号をもとにフレーム構成番号を設定し（Ｓ１０２）、次に、背景図取得先アドレスとコンテンツ情報取得先アドレスを設定する（Ｓ１０３、Ｓ１０４）。
次に、この設定された各アドレスへ情報取得手段２２５を介して、情報の送信要求を送る。情報提供システム１は、この送信要求を受け取ると、送信要求に含まれている背景図番号を参照して背景図ＤＢ１３２に保存されている該当する背景図情報を返信し、また、各情報サーバ３は、情報ＤＢ３３１に保存されているコンテンツ情報を返信する。
【００３２】
顧客端末２は、情報提供システム１および情報サーバ３から送られてくる情報を受信すると記憶部２３へ保存する。（Ｓ１０５）。
情報取得手段２２５はコンテンツ情報を記憶部２４へ保存したのち、ページ生成手段２２４へコンテンツ情報受信の通知信号を送る。この通知により、ページ生成手段２２４は取得された情報を用いてページ（画面構成図）を生成する（Ｓ１０６）。
【００３３】
図１１は、画面構成図ＤＢ１３２のデータ構成である。図１１において、背景番号ごとに関連付けられたリフレシュ時間、フレーム構成番号(識別番号)、各フレームごとの情報取得先アドレスが保存されている。
【００３４】
<２−３．ページ表示処理>
ページ生成手段２２４は記憶部２３に保存されたコンテンツ情報をもとにページを生成し、ページ表示手段２２６へ表示情報を送られ、入出力処理手段２２２を介し表示部２５より表示される(Ｓ１０７)。
ページ表示後、設定情報に設定されているリフレシュ時間が経過した後、画面をリフレシュさせるため、背景番号に1を追加する (Ｓ１０８、Ｓ１０９) 。
背景番号MOD2を背景番号に代入して(Ｓ１１０) 、上記、ステップＳ１０２へ戻る。
【００３５】
以上の処理の結果、ディスプレイ上に表示される画面構成図がリフレッシュタイマの設定値によって決まる周期（設定時間）ごとに切り替わる。
【００３６】
次に、周期的に切り替わる画面構成図について説明する。    
画面構成としては、図２と図３のように周期的にフレーム構成およびコンテンツの表示位置が変わるようにしてもよいし、フレームの分割の仕方は変えずに、たとえば図２のフレームの陰影をずらすようにしてもよい。
【００３７】
以下、陰影のずらし方について説明する。図４の虫眼鏡の位置を拡大すると、図５のように画素ごとに交互に点灯あるいは消灯している。更新周期になると、図６のように、点灯、消灯状態が切り替わるようにする。
フレーム図（背景図）としては、更新周期ごとに１画素分ずれることになるが、視覚的には、ほとんど認識できない程度のものである。さらに、フレーム内に表示されるコンテンツ情報の一部または全部が更新されるタイミングでこのフレーム図もずらすようにすれば、人間の目は、コンテンツ情報を追うためフレームのずれはより認識困難なものになる。なお、表示、非表示の単位、すなわち、ずれの大きさは、１画素単位でなくても、視覚的に気にならない一定の画素群ごとに行うようにしてもよい。また、フレーム部分の特定範囲の消灯状態を作ることができればよいので、２画面で交互に切り替えるのではなく、数画面で消灯状態が順にずれるように背景図を構成するようにしてもよい。
【００３８】
本実施の形態によれば、ページ生成時、情報提供システムから送信された背景図情報を受信することで表示画面の構成を変化させ、連続長時間のインフォメーション表示をするプラズマディスプレイなどの焼付きを防止し、寿命を延ばすという効果がある。
【００３９】
特に、一定時間ごとの背景図の更新では、ウィンドウ枠の左下側に影を作った画面とウィンドウ枠の右上側に影を作った画面を入れ替えることにより、影位置や光位置が必ず逆転し、黒いドットと白いドットを反転することによりウィンドウ枠の焼付きを防止することができる。
このとき、フレームタグを検出し、画面更新時にフレームの色指定を変えることで、同じドット（画素）が同じ発行色とならないようにするようにしてもよい。
【００４０】
なお、本実施の形態では、予め設定された周期で背景図が切り替わるようにしたが、入力部２４を介してのユーザからの要求、または、情報サーバからのプッシュ型配信によりコンテンツ情報が変更になるときに背景図を切り替えるようにしてもよい。
【００４１】
また、本実施の形態では、コンテンツ情報の取得先アドレスを情報提供システム側で行い、更新周期ごとに端末では、設定されたアドレスに基づいてコンテンツ情報を収集表示するので、ホームページの自動巡回も可能となる。これによって、従来のインターネット上のホームページは、見に来てくれた人（訪問者）にのみ情報の開示を行う受動的なものであったが、より能動的に開示したい情報を見せることが可能となり、ホームページ等のコンテンツ情報の利用価値を向上させることができる。なお、コンテンツ情報の取得先を顧客端末側から複数設定するようにして、更新周期ごとに切り替えて端末上に表示させるようにしてもよい。このようにすれば、顧客は、複数の情報を一つの画面に集約した状態で見ることができる。この場合も情報はフレーム単位に分割されているので見やすく、かつ、フレームの画像の微小移動によってディスプレイの焼付を防止することができる。
【００４２】
コンテンツ情報としては、静止画情報のほか、ＴＶ放送、ビデオ、ストリーミング等の映像でもよい。
また、端末２は、顧客の所有する端末でもよいし、キオスク端末との連携を図って顧客が見たいものを自由に閲覧可能にできるようにしてもよい。
【００４３】
次に第２の実施の形態を説明する。第１の実施の形態は、端末が表示すべき情報を情報提供システムおよび情報サーバへ要求し、端末上で表示情報を生成して表示するのにするのに対して、本実施の形態は、情報提供システムで表示すべき情報を生成して表示装置に出力するようにしたものである。
【００４４】
図１５は本実施の形態による情報提供システム等の機能ブロック図である。この図において、情報提供システム１は通信ネットワーク７を介して情報サーバ３と繋がっており、情報提供システム１は構内ネットワーク８を介して表示装置５と繋がっている。
情報提供システム１は送受信部１１、中央演算処理部１２、記憶部１３、入力部１４、表示部１５、および、送信部５１から構成されている。
【００４５】
さらに中央演算処理部１２は送受信処理手段（機能）１２１、入出力処理手段（機能）１２２、設定情報登録手段（機能）１２３、ページ更新手段（機能）５２４、ページ生成手段（機能）５２５、情報取得手段（機能）５２６、情報送信手段（機能）５２７を備えている。
また、記憶部１３は設定情報ＤＢ１３１、画面構成図ＤＢ１３３を有している。
【００４６】
一方、表示装置５は受信部５１、記憶部５３、表示部５５から構成されている。
その他については、第１の実施の形態と同様であるので、同一要素には同一符号を付けて説明を省略する。
【００４７】
次に、情報提供システム１の動作を説明する。
【００４８】
<情報設定処理>
まず、サービス事業者は情報提供システム１の入力部１４より表示装置５へ送信するコンテンツ情報、画面リフレシュ時間などの各種設定情報を入力部１４から入力する（Ｓ２０１）。入力された設定情報は入出力処理手段１２２、設定情報登録手段１２３によって設定情報ＤＢ１３１へ登録される。
【００４９】
<ページ更新処理>
登録完了後、ページ更新手段５２４が起動され情報送信手段５２７へコンテンツ情報送信要求が行われる（Ｓ２０２、Ｓ２０３、Ｓ２０４）。
【００５０】
<ページ情報取得処理>
コンテンツ情報送信要求は送受信処理手段１２１、送受信部１１により通信ネットワーク７を介し情報サーバ３へ送信される。この要求情報は情報サーバ３の送受信部３１で受信され、送受信処理手段３２１、情報受信手段３２４によって受信処理が行われる。送信要求のあったコンテンツ情報は記憶部３３の情報ＤＢ３３１から抽出され、情報送信手段３２３により送受信処理手段３２１へ渡される。このコンテンツ情報は送受信部３１から情報提供システム１へ送信される。
【００５１】
情報サーバ３から送信されたコンテンツ情報は通信ネットワーク７を介し情報提供システム１の送受信部１１および送受信処理手段１２１で受信処理される。受信処理されたコンテンツ情報は情報取得手段５２６により記憶部１３の画面構成図ＤＢ１３２へ保存される（Ｓ２０５）。
【００５２】
<ページ生成処理>
情報取得手段５２６は、同時にコンテンツ情報取得済みの信号をページ生成手段５２５へ送り、同手段５２５を起動する。
【００５３】
ページ生成手段５２５は起動されると、記憶部１３の画面構成図ＤＢ１３２へ保存されたコンテンツ情報および背景図情報をもとにページ情報を作成する。ページ情報の作成後、中央演算処理部１２のページ更新起動のリフレシュタイマを初期値に戻す（Ｓ２０６）。生成されたページ情報は情報送信手段５２７によって送受信処理手段１２１へ渡され送信部５１より構内ネットワーク８を介し表示装置５へ送信される。（Ｓ２０７）。
【００５４】
<ページ表示処理>
送信されたページ情報は表示装置５の受信部５１で受信され記憶部５３に保存される。この記憶部５３は、不揮発性メモリであっても揮発性メモリであってもよい。通常は、表示できるだけの容量があれば十分であるが、ハードディスク等の大容量の記憶媒体を用いて過去の表示情報を保存できるようにしてもよい。
【００５５】
記憶部５３に保存されたページ情報は表示部５５によって表示される（Ｓ２０８）。
上記、ステップＳ２０７で表示装置５へページ情報の送信を行い、設定したリフレシュ時間の経過により（Ｓ２０９〜Ｓ２１１）、ステップＳ２０２へ戻り、同様の処理が繰り返される。
【００５６】
なお、ページ更新手段５２４は設定情報登録手段１２３により設定情報ＤＢ１３１に登録されたタイマ値により起動間隔を設定することができ、コンテンツが更新されなくても
新たにページ生成が行われ、画面の焼付きを防ぐことができる。
【００５７】
背景図の切り替え処理については、第１の実施の形態と同様であるので説明を省略する。
【００５８】
本実施の形態によれば、構内の表示装置ごとに画面構成図データを保存し、更新周期を管理することによって、構内のディスプレイの寿命を延ばすことができる。また、端末からの要求でなく、情報提供システムから表示情報を切り替えることができるので、能動的な情報の通知あるいは広告配信が可能となる。
【００５９】
また、コンテンツ情報の更新周期と背景図の切り替え周期とを別個に設定可能にすることによって、ディスプレイの寿命を考慮した背景図の切り替えと、広告効果を考慮したコンテンツ情報の更新をそれぞれ効果的に実行することができる。
【図面の簡単な説明】
【００６０】
【図１】本発明の第１の実施の形態に係わる情報提供システム、および、これに繋がる顧客端末、情報サーバの機能ブロック図である。
【図２】図１の背景図ＤＢ１３２に保存されている背景図情報の説明図である。
【図３】図１の背景図ＤＢ１３２に保存されている他の背景図情報の説明図である。（図２とはフレーム分割を異にする例）
【図４】図２の背景図のフレーム拡大位置を示す図である。
【図５】図４の虫眼鏡位置の拡大図である。（画素ごとの点灯、消灯状態の説明図）
【図６】図４の虫眼鏡位置の拡大図である。（図５とは、点灯、消灯状態が逆になっていることの説明図）
【図７】図１の設定情報ＤＢ１３１の背景テーブルのデータ構成図である。
【図８】図１の設定情報ＤＢ１３１のサーバテーブルのデータ構成図である。
【図９】図１の設定情報ＤＢ１３１のリフレシュテーブルのデータ構成図である。
【図１０】図１の設定情報ＤＢ１３１のフレーム構成テーブルのデータ構成図である。
【図１１】図１の画面構成図ＤＢ２３１のデータ構成図である。
【図１２】本発明の第１の実施の形態に係わる表示切替を行うためのＨＴＭＬ形式のプログラムの一例である。
【図１３】本発明の第１の実施の形態に係わる表示切替を行うためのＨＴＭＬ形式のプログラムの一例である。（図１２とは選択する背景図等が異なっている。）
【図１４】本発明の第１の実施の形態に係わるページ更新、生成、表示の処理手順を表すフローチャートである。
【図１５】本発明の第２の実施の形態に係わる情報提供システム、および、これに繋がる顧客端末、情報サーバの機能ブロック図である。
【図１６】本発明の第２の実施の形態に係わるページ更新、生成、表示の処理手順を表すフローチャートである。
【符号の説明】
【００６１】
１ 情報提供システム 
２ 顧客端末
３ 情報サーバ
４ 通信ネットワーク
１１、２１、３１  送受信部
１２、２２、３２  中央演算処理部
１３、２３、３３  記憶部
１４、２４  入力部
１５、２５  表示部
１２１、２２１、３２１、５２１  送受信処理手段
１２２、２２２、５２２  入出力処理手段
１２３、５２３  設定情報登録手段
１２４  設定情報要求・入力手段
１２５  設定情報送信手段
１２６  画面構成図送信手段
１３１  設定情報ＤＢ
１３２  背景図ＤＢ
１３３  画面構成図ＤＢ
２２３、５２４  ページ更新手段
２２４、５２５  ページ生成手段
２２５  ページ情報取得手段
２３１  画面構成図ＤＢ
３２３  情報送信手段
３２４  情報受信手段
３３１  情報ＤＢ
５２６  情報取得手段
５２７  情報送信手段
【図１】
2005181907.tif 000003
【図７】
2005181907.tif 000004
【図８】
2005181907.tif 000005
【図９】
2005181907.tif 000006
【図１０】
2005181907.tif 000007
【図１１】
2005181907.tif 000008
【図１２】
2005181907.tif 000009
【図１３】
2005181907.tif 000010
【図１４】
2005181907.tif 000011
【図１５】
2005181907.tif 000012
【図１６】
2005181907.tif 000013
【図２】
2005181907.tif 000014
【図３】
2005181907.tif 000015
【図４】
2005181907.tif 000016
【図５】
2005181907.tif 000017
【図６】
2005181907.tif 000018